(57)【要約】【課題】背表紙画像のずれを容易に確認し、解消すること。【解決手段】背表紙幅に対応して境界線画像を生成し、生成される境界線画像を背表紙画像を含む表紙画像に合成する。さらに、入力された背表紙画像の位置を調整するための調整値に基づいて背表紙画像の位置を調整する。【選択図】図３
2008000974.tif 000002
【特許請求の範囲】
【請求項１】
背表紙幅が入力される背表紙幅入力部と、
背表紙画像を含む表紙画像が入力される画像入力部と、
前記背表紙幅に対応して境界線画像を生成し、生成される境界線画像を前記背表紙画像を含む表紙画像に合成する画像合成手段と、
前記境界線画像の合成される背表紙画像を含む表紙画像を画像形成する画像形成部と、
少なくとも前記背表紙画像の位置を調整するための調整値が入力される画像位置調整値入力部と、
前記調整値に基づき、前記境界線画像の合成される背表紙画像を含む表紙画像のうち、少なくとも背表紙画像の位置を調整する画像位置調整手段と、
を有することを特徴とする画像形成装置。
【請求項２】
前記画像入力部には、表表紙画像、裏表紙画像及び背表紙画像が各々入力され、
前記画像合成手段は、表表紙画像及び裏表紙画像を前記背表紙幅の間隔を隔てて配置するとともに、背表紙画像を前記背表紙幅分切り出し、表表紙画像と裏表紙画像との間に配置する、
ことを特徴とする請求項１に記載の画像形成装置。
【請求項３】
前記画像合成手段は、少なくとも表表紙画像と背表紙画像との境界、及び背表紙画像と裏表紙画像との境界に前記境界線画像を合成することを特徴とする請求項２に記載の画像形成装置。
【請求項４】
表紙画像を確認するための確認プリントモードを有し、
前記画像合成手段は、前記確認プリントモードの際に、前記背表紙幅に対応して境界線画像を生成し、生成される境界線画像を前記背表紙画像を含む表紙画像に合成することを特徴とする請求項１〜３の何れか一項に記載の画像形成装置。
【請求項５】
前記確認プリントモードの際に、確認した表紙画像に対する許可指示が入力される表紙画像許可入力部を有し、
前記画像合成手段は、前記許可指示に応答して前記境界線画像の合成された背表紙画像を含む表紙画像から当該境界線画像を消去し、
前記画像形成部は、当該境界線画像の消去された背表紙画像を含む表紙画像に基づいて画像形成を行う、ことを特徴とする請求項４に記載の画像形成装置。
【請求項６】
背表紙幅を取得する背表紙幅取得ステップと、
背表紙画像を含む表紙画像を取得する画像取得ステップと、
前記背表紙幅に対応して境界線画像を生成し、生成される境界線画像を前記背表紙画像を含む表紙画像に合成する画像合成ステップと、
前記境界線画像の合成される背表紙画像を含む表紙画像を画像形成する画像形成ステップと、
少なくとも前記背表紙画像の位置を調整するための調整値を取得する画像位置調整値取得ステップと、
前記調整値に基づき、前記境界線画像の合成される背表紙画像を含む表紙画像のうち、少なくとも背表紙画像の位置を調整する画像位置調整ステップと、
をコンピュータに実行させることを特徴とするプログラム。
【発明の詳細な説明】
【技術分野】
【０００１】
本発明は、画像形成装置及びプログラムに関する。
【背景技術】
【０００２】
本の中身となる本身用紙の束を表紙用紙でコの字状にくるんで冊子を生成する、いわゆるくるみ製本技術が知られ、当該表紙用紙を提供する画像形成装置として表表紙画像、裏表紙画像及び背表紙画像の形成された表紙用紙を出力する画像形成装置が知られている（例えば、特許文献１参照）。
【０００３】
特許文献１には、裏表紙画像、背表紙画像及び表表紙画像を背表紙幅を考慮して順に枠線を付けて並べ、画像形成を行うことが開示されている。
【特許文献１】特開２００１−２０５８５７号公報
【発明の開示】
【発明が解決しようとする課題】
【０００４】
背表紙幅は、本身用紙の束の厚み等に基づいて決定するが、仮に本身用紙の束の厚みが予想と異なっていた場合には、背表紙幅を変更する必要がある。背表紙幅の変更により背表紙幅が変化してしまうと、当初背表紙の幅方向中央位置に配置されていた背表紙画像が、当該幅方向中央位置からずれてしまうことがある。例えば、図１（ａ）に示すように、当初背表紙幅ｄ１が設定され、表表紙と背表紙との境界を基準としてｄ１／２の距離に背表紙画像が配置されているものとする。つまり、背表紙の幅方向中央位置に背表紙画像が配置されている。このとき、図１（ｂ）に示すように、背表紙幅をｄ２（＜ｄ１）に変更し、背表紙と裏表紙との境界位置を表表紙と背表紙との境界からｄ２の距離に移動させるものとすると、背表紙画像は表表紙と背表紙との境界からｄ１／２の距離に配置されているので、背表紙画像は背表紙の幅方向中央位置から右側にずれることになる。
【０００５】
また、裏表紙画像、背表紙画像及び表表紙画像が画像データとして精度良くレイアウトされている場合でも、表紙用紙に対する画像形成の位置がずれてしまうと、背表紙画像の中央が表紙用紙の中央位置からずれて画像形成されることになる。
【０００６】
特許文献１においては、このような、背表紙画像がずれてしまうという課題の認識はない。特許文献１では表表紙と背表紙との境界、及び背表紙と裏表紙との境界に枠線が設けているが、当該枠線は背表紙画像のずれを目視確認するためのものではない。
【０００７】
本発明は、以上のような問題に鑑みてなされたものであり、背表紙画像のずれを容易に確認し、解消することを目的としている。
【課題を解決するための手段】
【０００８】
本発明の画像形成装置は、背表紙幅が入力される背表紙幅入力部と、背表紙画像を含む表紙画像が入力される画像入力部と、前記背表紙幅に対応して境界線画像を生成し、生成される境界線画像を前記背表紙画像を含む表紙画像に合成する画像合成手段と、前記境界線画像の合成される背表紙画像を含む表紙画像を画像形成する画像形成部と、少なくとも前記背表紙画像の位置を調整するための調整値が入力される画像位置調整値入力部と、前記調整値に基づき、前記境界線画像の合成される背表紙画像を含む表紙画像のうち、少なくとも背表紙画像の位置を調整する画像位置調整手段と、を有することを特徴としている。
【０００９】
本発明のプログラムは、背表紙幅を取得する背表紙幅取得ステップと、背表紙画像を含む表紙画像を取得する画像取得ステップと、前記背表紙幅に対応して境界線画像を生成し、生成される境界線画像を前記背表紙画像を含む表紙画像に合成する画像合成ステップと、前記境界線画像の合成される背表紙画像を含む表紙画像を画像形成する画像形成ステップと、少なくとも前記背表紙画像の位置を調整するための調整値を取得する画像位置調整値取得ステップと、前記調整値に基づき、前記境界線画像の合成される背表紙画像を含む表紙画像のうち、少なくとも背表紙画像の位置を調整する画像位置調整ステップと、をコンピュータに実行させることを特徴としている。
【発明の効果】
【００１０】
本発明によれば、少なくとも表表紙画像と背表紙画像との境界及び背表紙画像と裏表紙画像との境界に境界線画像が形成されるので、ユーザが背表紙に対する背表紙画像の位置ずれを容易に視認することができる。また、背表紙画像の位置がずれている場合には、背表紙画像をシフトさせることができるので、境界線画像の形成された表紙画像を確認プリントとして出力しながら、背表紙画像を背表紙の所望の位置、例えば背表紙の幅方向中央位置、に調整することができる。
【発明を実施するための最良の形態】
【００１１】
（構成）
図２は、本実施形態に係る画像形成装置の制御構成図である。画像形成装置は、プログラムに従って画像形成装置の各種制御を実行するＣＰＵ１０を中心に、バス１１により、ＲＯＭ１２、ＲＡＭ１３、ＨＤＤ１４、操作表示部１５、原稿読取部１６、画像形成部１７、通信部１８、等が相互に接続されている。バス１１には、これらの制御対象以外の制御対象も接続されているが、本発明と直接関係しないものは、ここでは省略している。
【００１２】
ＲＯＭ１２は、各種プログラムやデータを記憶しており、ＣＰＵ１０がこれらプログラムやデータを利用して画像形成装置の制御を実行する。
【００１３】
ＲＡＭ１３は、ＣＰＵ１０によってワークエリアとして利用され、ＣＰＵ１０が制御を実行する際に必要なプログラムやデータを一時的に記憶する。
【００１４】
ＨＤＤ１４は、画像データ等を記憶する。
【００１５】
操作表示部１５は、タッチパネル等で構成され、各種操作画面の表示や指示入力等が行われる。背表紙幅の入力、画像位置調整値の入力が行われる。
【００１６】
原稿読取部１６は、原稿を読み取って原稿画像データを生成する。表紙画像が入力される。
【００１７】
給紙部１７は、表紙用紙を収容する給紙カセットを有し、画像形成部１８に向けて表紙用紙を送出する。
【００１８】
画像形成部１８は、原稿読取部１６又は通信部１９から入力される画像データに基づいて、表紙用紙に画像形成を行う。
【００１９】
通信部１９は、パーソナルコンピュータ等に接続され、パーソナルコンピュータ等から送信されてくる画像データ等を受信する。
【００２０】
（表紙画像形成モードの制御）
図３は、本実施形態に係る表紙画像形成モードのフロー図である。一例であり、これに限られない。この処理は、ＲＯＭ１２に記憶されるプログラムに基づいて、ＣＰＵ１０が処理を実行することにより行われる。既に、操作表示部１５により表紙画像形成モードが選択されているものとして説明する。
【００２１】
まず、ＣＰＵ１０は、確認プリントを実行するか否かの入力要求を操作表示部１５に表示させる。この入力要求に基づいて、ユーザが操作表示部１５により確認プリントを実行するか否かの入力をすることにより、ＣＰＵ１０に確認プリント実行許否情報が入力される（ステップＳ１）。
【００２２】
次に、ＣＰＵ１０は、背表紙幅ｄの入力要求を操作表示部１５に表示させる。この入力要求に基づいて、ユーザが操作表示部１５により背表紙幅ｄを入力することにより、ＣＰＵ１０に背表紙幅ｄが入力される（ステップＳ２）。
【００２３】
次に、ユーザが原稿読取部１６に、図４（ａ）に示すような表表紙原稿、裏表紙原稿及び背表紙原稿の各原稿をセットし、操作表示部１５によりプリント開始指示を行うと、ＣＰＵ１０は、原稿読取部１６を駆動し、各原稿画像を入力させる。これにより、表表紙画像データ、裏表紙画像データ、背表紙画像データの画像データが入力され、ＲＡＭ１３に記憶される。（ステップＳ３）
次に、ＣＰＵ１０は、ステップＳ１において入力された確認プリント実行許否情報に基づき、確認プリントを実行するか否かを判断する（ステップＳ４）。
【００２４】
確認プリントを実行すると判断すると（ステップＳ４；Ｙｅｓ）、ＣＰＵ１０は、確認用の表紙画像の合成処理を実行する（ステップＳ５）。図４（ｂ）に示すように、ＣＰＵ１０は、表表紙画像データ及び裏表紙画像データを背表紙幅ｄの間隔を隔てて配置し、背表紙画像データを幅方向中央位置を基準に背表紙幅ｄ分切り出して新たな背表紙画像データとして表表紙画像データと裏表紙画像データとの間に配置することにより、表紙画像形成データとして合成を行う。さらに、この際、少なくとも表表紙画像データと背表紙画像データとの境界及び背表紙画像データと裏表紙画像データとの境界に境界を示す境界線画像データを合成する。境界線画像データは、実線、破線等、境界が認識できるものであれば何でもよい。合成された表紙画像形成データは、ＲＡＭ１３に記憶される。
【００２５】
次に、ＣＰＵ１０は、給紙部１７に対して収容されている表紙用紙を給紙するよう要求し、また画像形成部１８に対して給紙された表紙用紙にステップＳ５において合成された表紙画像形成データに基づいて画像形成を行うよう要求する（ステップＳ６）。これにより、境界線画像を含んだ表紙画像が表紙用紙に形成される。少なくとも表表紙画像と背表紙画像との境界及び背表紙画像と裏表紙画像との境界に境界線画像が形成されているので、ユーザが背表紙に対する背表紙画像の位置ずれを容易に視認することができる。
【００２６】
次に、ＣＰＵ１０は、画像形成された表紙画像を許可するか否かの入力要求を操作表示部１５に表示させる。この入力要求に基づいて、ユーザが操作表示部１５により表紙画像の許否の入力を行うことにより、ＣＰＵ１０に表紙画像許否情報が入力される（ステップＳ７）。
【００２７】
次に、ＣＰＵ１０は、入力された表紙画像許否情報に基づき、画像形成された表紙画像が許可されたか否かを判断する（ステップＳ８）。
【００２８】
画像形成された表紙画像が許可されたと判断すると（ステップＳ８；Ｙｅｓ）、ステップＳ１０に進む。
【００２９】
画像形成された表紙画像が許可されていないと判断すると（ステップＳ８；Ｎｏ）、ＣＰＵ１０は、背表紙画像のシフト量（位置調整量）の入力要求を操作表示部１５に表示させる。この入力要求に基づいて、ユーザが操作表示部１５により背表紙画像のシフト量の入力を行うことにより、ＣＰＵ１０に背表紙画像のシフト量が入力される（ステップＳ９）。その後、ステップＳ５に戻る。
【００３０】
ステップＳ５に戻ると、ＣＰＵ１０は、入力された背表紙画像のシフト量に基づいて、ＲＡＭ１３に記憶されている表紙画像形成データを構成する画像データのうち、背表紙画像データをシフトさせ、得られた背表紙画像データを新たな背表紙画像データとして、再び確認用の表紙画像の合成処理を行う。
【００３１】
その後、ステップＳ６、Ｓ７と進み、ステップＳ８において画像形成された表紙画像が許可されるまで、ステップＳ５〜Ｓ７を繰り返す。すなわち、背表紙画像が背表紙の所望の位置、例えば背表紙の幅方向中央位置、に画像形成されるようになるまで、ステップＳ５〜Ｓ７の工程が繰り返される。
【００３２】
次に、ステップＳ１０において、ＣＰＵ１０は、ステップＳ５で合成された境界線画像データを含んだ表紙画像形成データから境界線画像データを消去する（ステップＳ１０）。
【００３３】
次に、ＣＰＵ１０は、給紙部１７に対して収容されている表紙用紙を給紙するよう要求し、また画像形成部１８に対して給紙された表紙用紙にステップＳ１０において境界線画像データの消去された表紙画像形成データに基づいて画像形成を行うよう要求する（ステップＳ１１）。これにより、境界線画像の消去された表紙画像が表紙用紙に形成される。
【００３４】
一方、ステップＳ４において、確認プリントを実行しないと判断すると、（ステップＳ４；Ｎｏ）、ステップＳ１２に進む。
【００３５】
ステップＳ１２において、ＣＰＵ１０は、通常の表紙画像の合成処理を実行する（ステップＳ１２）。ステップＳ５の確認用の表紙画像の合成処理と異なる点は、ステップＳ５においては表紙画像形成データを合成する際に境界線画像データも共に合成するのに対し、本ステップにおいては境界線画像データは合成しない点である。合成された表紙画像形成データは、ＲＡＭ１３に記憶される。
【００３６】
次に、ＣＰＵ１０は、給紙部１７に対して収容されている表紙用紙を給紙するよう要求し、また画像形成部１８に対して給紙された表紙用紙にステップＳ１２において生成された表紙画像形成データに基づいて画像形成を行うよう要求する（ステップＳ１３）。
【００３７】
以上のように、本実施形態によれば、少なくとも表表紙画像と背表紙画像との境界及び背表紙画像と裏表紙画像との境界に境界線画像が形成されるので、ユーザが背表紙に対する背表紙画像の位置ずれを容易に視認することができる。また、背表紙画像の位置がずれている場合には、背表紙画像をシフトさせることができるので、境界線画像の形成された表紙画像を確認プリントとして出力しながら、背表紙画像を背表紙の所望の位置、例えば背表紙の幅方向中央位置、に調整することができる。
【００３８】
本実施形態では、背表紙画像のみをシフトさせるようにしたが、表表紙画像及び裏表紙画像もシフトさせるようにしてもよい。
【００３９】
本実施形態では、表表紙画像、裏表紙画像及び背表紙画像が形成された各原稿をそれぞれ入力し、画像形成装置内で合成処理して表紙画像形成データを生成する場合について示したが、表表紙画像、裏表紙画像及び背表紙画像が最初から合成された１枚の原稿から入力を行い表紙画像形成データを生成する場合についても適用可能である。この場合は、表表紙画像、裏表紙画像及び背表紙画像は原稿画像入力時から一体画像となっているので、ステップＳ９において背表紙画像のシフト量が入力されると、表表紙画像、裏表紙画像及び背表紙画像を含む表紙画像全体がシフトする。
【００４０】
本実施形態では、原稿読取部１６から画像入力を行ったが、通信部１９を介してパーソナルコンピュータ等から画像入力を行ってもよい。また、背表紙幅の設定、背表紙画像のシフト量の設定、等もパーソナルコンピュータ等から入力を行ってもよい。
【００４１】
本実施形態では、画像形成装置を表紙画像の形成が可能な単体の画像形成装置として示したが、当該画像形成装置にくるみ製本装置を接続し、自動製本を行うようにすることも可能である。
【図面の簡単な説明】
【００４２】
【図１】背表紙幅の変更に伴う背表紙画像の位置ずれを説明する図である。
【図２】本実施形態に係る画像形成装置の制御構成図である。
【図３】本実施形態に係る表紙画像形成モードのフロー図である。
【図４】表紙原稿からの表紙画像形成データを合成を説明する図である。
【符号の説明】
【００４３】
１０  ＣＰＵ
１２  ＲＯＭ
１５  操作表示部
１６  原稿読取部
１８  画像形成部
１９  通信部
【図１】
2008000974.tif 000003
【図２】
2008000974.tif 000004
【図３】
2008000974.tif 000005
【図４】
2008000974.tif 000006